(57)【要約】      （修正有）【課題】作業現場の寒暖に対応することができ、しかも、ハーネス型の墜落制止用器具を装着した上から着用することができる新規なベスト型の作業衣を提供する。【解決手段】ベスト型の作業衣１において、保冷材（又は保温材）を収納するためのポケットを内面の一ないし複数個所に備え、且つ、ハーネス型の墜落制止用器具Ｓを装着した上から着用した際に、前記墜落制止用器具ＳのＤ環Ｄを露出させるための貫通孔３を後見頃に設ける。【選択図】図３
0003225280.tif 000002
【実用新案登録請求の範囲】
【請求項１】
ベスト型の作業衣であって、
保冷材又は保温材を収納するためのポケットが内面の一ないし複数個所に備えられてなり、
更に、ハーネス型の墜落制止用器具を装着した上から着用した際に、前記墜落制止用器具のＤ環を露出させるための貫通孔が後見頃に設けられてなることを特徴とする作業衣。
【請求項２】
請求項１に記載の作業衣において、
前記ポケットが、前記後見頃における前記貫通孔を挟んだ上部と下部の少なくとも二箇所に設けられてなる作業衣。
【考案の詳細な説明】
【技術分野】
【０００１】
本考案は、ベスト型の作業衣に関する。
【背景技術】
【０００２】
工事現場や工場内での作業時においては、作業員同士の統一感を得るために、共通の作業衣を着用する場合が多い。この種の作業衣のうち、身体の背中から両脇下を経て胸の両側部近傍に至る部位を覆うように装着されるベスト型の作業衣は、作業員一人一人の服装が異なっていても、これを着用するだけで作業員同士の統一感が得られることから、現在多くの現場で採用されている。
【０００３】
又、反射材が取り付けられたベスト型の作業衣は、夜間作業や暗所作業において他者による認識を容易にすることから、接触事故などを防ぐ目的で着用が義務付けられる場合も多い。
【０００４】
最近では、作業現場の寒暖に対する作業環境の改善を目的として、このベスト型の作業衣の内面に保温材や保冷材を収納するための内ポケットを備えたものも開発されている（例えば、下記特許文献１参照。）。
【先行技術文献】
【特許文献】
【０００５】
【特許文献１】特開２０１６‐２２３０２３号公報
【考案の概要】
【考案が解決しようとする課題】
【０００６】
ところで、現在の労働安全衛生規則では、２ｍ以上の高所作業時において墜落を防止するために足場等の作業床の設置が必要となっており、又、前記作業床の設置が困難な場合には墜落制止用器具（安全帯）の着用が義務付けられている。特に、高さ５メートル以上の作業現場では、複数のベルトを肩部、腿部等に装着して使用する「ハーネス型」の墜落制止用器具の着用が義務付けられている。
【０００７】
しかしながら、前記ハーネス型の墜落制止用器具は背部に設けられたＤ環にランヤードを接続する仕組みとなっているため、墜落制止用器具を装着した上から作業衣を着ることはできない。従って、作業衣は墜落制止用器具の下に着用するしかなく、作業員同士の統一感が損なわれる。又、保温材や保冷材が内ポケットに収納された作業衣の上から墜落制止用器具を装着すると、いわゆる着膨れの状態になるため、作業の安全衛生上好ましくない。
【０００８】
本考案は、前記技術的課題に鑑みて完成されたものであり、作業現場の寒暖に対応することができ、しかも、ハーネス型の墜落制止用器具を装着した上から着用することができる新規なベスト型の作業衣を提供することを目的とする。
【課題を解決するための手段】
【０００９】
前記技術的課題を解決する本考案の作業衣は、ベスト型の作業衣であって、保冷材又は保温材を収納するためのポケットが内面の一ないし複数個所に備えられてなり、更に、ハーネス型の墜落制止用器具を装着した上から着用した際に、前記墜落制止用器具のＤ環を露出させるための貫通孔が後見頃に設けられてなることを特徴とする（以下、「本考案作業衣」と称する。）。
【００１０】
前記本考案作業衣においては、前記ポケットが、前記後見頃における前記貫通孔を挟んだ上部と下部の少なくとも二箇所に設けられてなるものが好ましい態様となる。
【考案の効果】
【００１１】
本考案作業衣によれば、作業現場の寒暖に対応することができ、しかも、ハーネス型の墜落制止用器具を装着した上から着用することができる。
【図面の簡単な説明】
【００１２】
【図１】図１（ａ）は、本考案作業衣の一実施形態を示す斜視図であり、図１（ｂ）は、前記本考案作業衣の前身頃が開かれた状態を示す正面図である。
【図２】図２は、前記本考案Ａ作業衣のポケットに保冷材を収納する様子を示す正面図である。
【図３】図３（ａ）は、ハーネス型の墜落制止用器具を装着した作業員を背部側から示す斜視図であり、図３（ｂ）は、更に、前記本考案作業衣を着用した作業員を背部側から示す斜視図である。
【考案を実施するための形態】
【００１３】
以下、本考案の実施形態を、図面を参照しながら説明するが、本考案はこれらの実施形態に限定されるものではない。
【００１４】
［実施形態１］
＜本考案作業衣１＞
図１に、本考案作業衣１の一実施形態を示す。前記本考案作業衣１は、ベスト型の作業衣である。本実施形態における前記本考案作業衣１はメッシュ生地からなり、内面に「ポケット（２）」が設けられている。又、後見頃１１の中央に略逆三角形の形状となされた「貫通孔（３）」が設けられている。更に、前記本考案作業衣１の両前身頃１２には、互いに連結可能なベルト４（４Ｒ、４Ｌ）が設けられており、このベルト４の長さを調整することによって、胴回りのサイズが調整できる仕組みとなされている。
【００１５】
‐ポケット２‐
前記ポケット２は、前記本考案作業衣１の内面の一ないし複数個所に備えられる。本実施形態では、前記本考案作業衣１の前記後見頃１１における前記貫通孔３を挟んだ上部と下部の二箇所（２Ｔ、２Ｂ）、及び、両前身頃１２の下部二箇所（２Ｒ、２Ｌ）の合計四箇所に前記ポケット２を備えた。なお、各ポケット２には、簡易的に開口部を閉じるための面状ファスナー（Ｆ）が取り付けられている。本考案において前記ポケット２は、保冷材や保温材を入れることによって作業現場の寒暖に対応するために備えられたものである。本実施形態においては、図２に示すように、各ポケットのサイズに合わせた寸法の袋材内にゲルが封入された保冷バッグ（Ｂ）を保冷材として用い、各ポケット２に収納することによって作業現場の暑さ対策としている。
【００１６】
‐貫通孔３‐
図３に示すように、前記貫通孔３は、ハーネス型の墜落制止用器具（Ｓ）を装着した上から前記本考案作業衣１を着用した際に、前記墜落制止用器具（Ｓ）のＤ環（Ｄ）を露出させるために設けられる。
【００１７】
前記構成を有する前記本考案作業衣１は、その内面に前記ポケット２が備えられているから、このポケット２に保冷材や保温材を入れることによって、作業現場の寒暖に対応することができる。
【００１８】
又、前記本考案作業衣１は、前記後見頃１１に前記貫通孔３が設けられているから、ハーネス型の墜落制止用器具（Ｓ）を装着した上から着用することができる。これより、作業現場における作業員同士の統一感を維持することができる。又、いわゆる着膨れの状態を避けることもできる。
【００１９】
ところで、本実施形態においては、前記ポケット２につき、前記本考案作業衣１の前記後見頃１１における前記貫通孔３を挟んだ上部と下部の二箇所、及び、両前身頃１２の下部二箇所の合計四箇所に備えているが、本考案において前記ポケット２を備える位置及び数について特に限定されない。但し、前記ポケット２につき、前記後見頃１１における前記貫通孔３を挟んだ上部と下部の少なくとも二箇所に設ければ、背中の広範囲にわたって温熱や冷熱を付与することができる。
【００２０】
又、本実施形態においては、前記貫通孔３につき、略逆三角形の形状としているが、本考案において前記貫通孔３の形状は特に限定されない。
【００２１】
なお、本考案は、その精神又は主要な特徴から逸脱することなく、他のいろいろな形態で実施することができる。そのため、上述の実施形態はあらゆる点で単なる例示に過ぎず、限定的に解釈してはならない。本考案の範囲は実用新案登録請求の範囲によって示すものであって、明細書本文には何ら拘束されない。更に、実用新案登録請求の範囲の均等範囲に属する変形や変更は、すべて本考案の範囲内のものである。
【産業上の利用可能性】
【００２２】
本考案は、ハーネス型の墜落制止用器具の装着時に使用することができる作業衣として好適に利用される。
【符号の説明】
【００２３】
１  本考案作業衣（作業衣）
２  ポケット
３  貫通孔
Ｂ  保冷バッグ（保冷材）
Ｓ  墜落制止用器具
Ｄ  Ｄ環
【図１】
0003225280.tif 000003
【図２】
0003225280.tif 000004
【図３】
0003225280.tif 000005